(57)【特許請求の範囲】
【請求項１】
デジタル通信網における呼設定遅延を減少させる方法であって、
発信局と発信ハブと宛先ハブとの間の通信パス接続を、前記発信ハブ内でルーティングを決定して、確立するステップと、
呼制御情報を同時に決定するステップと、
前記呼制御情報を承認するときには、完全な呼設定を達成するために、前記呼制御情報を前記宛先ハブに供給するステップと、
供給された前記情報に従って、宛先局への通信パス接続を完了するステップとからなることを特徴とする方法。
【請求項２】
請求項１に記載の方法において、前記通信パス接続は、前記呼制御情報を待ち受けながら、前記発信ハブから前記宛先ハブおよび前記宛先局まで行われ、前記呼制御情報が承認されなければ切断されることを特徴とする方法。
【請求項３】
呼設定時間を減少させるように構成されるデジタル通信網であって、
着信する加入者の発信呼を受信する発信ハブと、
前記加入者の発信呼を被呼者へ接続する宛先ハブと、
前記加入者の発信呼と関連する呼制御情報を決定する、前記加入者の発信呼を受信する前記発信ハブへ結合された網コントローラとを含み、前記網コントローラは、前記決定された呼制御情報を送信する宛先ハブへ接続されており、さらに、
前記加入者から前記被呼者への通信パス接続を確立する間にリソースおよび認証呼制御情報を決定する、前記網コントローラへ接続された付属呼プロセッサとを含むことを特徴とするデジタル通信網。
【請求項４】
請求項３記載のデジタル通信網において、前記付属呼プロセッサは加入者認証プロセッサを含むデジタル通信網。
【請求項５】
請求項３記載のデジタル通信網において、前記付属呼プロセッサは呼ルーティングプロセッサを含むデジタル通信網。
【請求項６】
請求項３記載のデジタル通信網において、前記付属呼プロセッサは帯域幅利用可能性プロセッサを含むデジタル通信網。
【請求項７】
請求項３記載のデジタル通信網において、前記付属呼プロセッサは信号暗号化プロセッサを含むデジタル通信網。
【請求項８】
請求項３記載のデジタル通信網において、前記付属呼プロセッサはアクセス制御プロセッサを含むデジタル通信網。
【請求項９】
請求項３記載のデジタル通信網において、前記付属呼プロセッサは加入者信用状態プロセッサを含むデジタル通信網。
【請求項１０】
請求項３記載のデジタル通信網において、前記付属呼プロセッサはエラー訂正および通話処理を含むデジタル通信網。
【発明の詳細な説明】
【０００１】
【発明の属する技術分野】
本発明は、網内に測定可能な待ち時間（すなわち、呼設定遅延）を伴うデジタル通信網に関し、特に、この待ち時間を減少させるかまたは最小にするデジタル通信網に関する。
【０００２】
【従来の技術及び発明が解決しようとする課題】
最新のデジタル通信網における呼設定は、多くの遅延を伴う。予想される遅延の多くは、発信信号入力ポイントとその行き先の信号終端ポイント間の伝搬遅延によるものである。かなりの呼設定待ち時間を引き起こす他の遅延は、加入者認証、呼ルーティング決定、アクセス制御、帯域幅利用可能性、発信者の信用状態、および望ましい信号暗号化などの制御データの評価のような作業を含む。これらの待ち時間遅延は、大部分、これらの新しいサービスや認証チェックに適応するためにシステムに必要とされるプロセッサとコントローラ間のメッセージ転送の数の増加に起因している。デジタル網では、これらの遅延は、さらに、エラー訂正および通話処理のような特徴のためのデジタル信号処理を含む。これらの遅延が減少するかさもなければオフセットされれば、呼設定はもっと早く進み、したがって、サービスの品質を総合的に改善することができる。
【０００３】
【課題を解決するための手段】
呼設定を取り決める際に処理される機能は、全呼設定時間を減らすために実際の呼設定と同時に働く。本発明の原理を実施した広域分散通信網では、呼遅延と起こり得る呼設定結果とが、発信端末からの呼の開始時にまず予測（つまり、予想される呼結果）される。発信ハブから終端ハブへの呼ルーティング接続は、一実施例において、受信ハブおよび局／加入者への交換信号接続（接続パス中のすべての中間ハブを含む）でまず完了する。他の実施例では、呼ルーティング接続は、受信ハブに直接的に接続され、受信局／加入者への最終的な完了接続は、全呼承認処理の間遅延される。両実施例において、管理機能と呼処理は、呼接続の完了と共にまた完了近くに平行して行われる。
【０００４】
管理および呼処理決定が、完了される呼接続の完了または継続に好ましくなければ、呼接続はただちに切断される。呼接続前および呼接続中のこれらの管理機能の平行動作により、管理処理の遅延影響は著しく減少する。
【０００５】
呼接続の管理リファインメントのバランスを申し分ないものにするのに必要とされる網コントローラとハブ間の関連メッセージ転送の数を減らすことによって、呼は、より早くかつより効率的に完了する。行き先ハブへの呼軌道を設定するためのルーティングステップは、呼受け入れ管理ステップ、例えば認証、アクセス制御、帯域幅利用可能性など、の実行の直前にほぼまたはすっかり完了する。
【０００６】
暫定呼接続の間およびその後の管理リファインメントは、分散式に実行することができる。管理および能力アイテムは、次のルート接続と接続／決定の間に決定、完了され、同時に計算またはアクセスされて、この情報を呼接続の最終完了またはほぼ完了のために利用可能にする。この情報が後で不利になることがわかった場合、呼の接続はただちに終了する。
【０００７】
一態様では、管理および能力決定のためのプロセッサは、並列に接続され、最初の試験的呼接続中または呼接続の完了近くに同時に働く。
【０００８】
【発明の実施の形態】
デジタル通信網は、通話符号化、チャンネル符号化等の多くの新しい特徴と、種々の特徴および認証処理を提供する。これらはすべて、ある程度まで、送信および処理遅延を含み、網における呼設定に待ち時間または遅延を導入する。さらに、送信および信号リンクは、全遅延に伝搬遅延を追加する。これらの遅延はすべて、エンドユーザに対するサービスの品質の全劣化を増加させる。
【０００９】
発信ハブへの加入者によるサービスの要求に基づき、この発信ハブは、すべての必要な制御情報を手に入れるために、呼の関連データを網の中央コントローラに送信する。この制御情報は、加入者呼の認証、呼ルーティング、アクセス制御、呼の帯域幅の利用可能性、加入者の信用状態、および暗号化情報を含む。普通の従来技術電話デジタル網では、接続のための呼設定は、この情報が発信ハブに戻されるまで始まらない。同じ処理は、呼が接続される前に、終端ハブからコントローラへ進む信号で終端ハブで起こる。
【００１０】
本発明にしたがって、これらのメッセージおよびデータ転送は、大部分、コントローラとハブ間で必要とされる転送の数を減らすことにより最小にされる。呼は、情報処理の結果として呼の承認の予測時に初めに接続されるかまたはほとんど接続される。呼は、網内のあらゆる中間ハブを含み、発信および終端ハブ間で接続される。発信ハブから受信ハブへの予測接続は、情報処理が網を通して分散形式で実行される間に行われる。
【００１１】
図１に示されるデジタル電話網は、発信加入者／局１０１からの発呼をハブ１０２で受信している。発信加入者／局１０１は、優先接続または無線接続のどちらかでハブ１０２に接続することができる。加入者／局１０１は、移動局ならば、動いていることができ、他のハブによって早くサービスされる。ハブ１０２（システム内には典型的に１つ以上のハブが存在する）は、各々、無線基地局、地上通信線交換機、遠隔交換モジュール、または従局もしくは類似局とすることができる。ハブ１０２は、受信ハブへの最初の暫定交換呼接続を制御する。
【００１２】
ハブ１０２は、受信した発信ダイアル信号を受け入れて、呼網コントローラに転送する。呼網コントローラは、受信信号を受け入れて、発呼局を確認し、受信ハブ１２２への接続を要求する発呼者が与えられるべき認証と特徴を決定する。支援データベース／プロセッサ局１３１は、信号網１５１に接続されたパラレル処理構成要素を含んだ数個によって呼特性を処理するための情報を受信する。優先は、発信ハブ１０２によって、発信加入者／局１０１を受信加入者／局１２１に接続する呼送信パスの管理処理完了の前に、受信ハブ１２２へのパス１５３を介する精密な接続処理のためにダイアルされた番号に与えられる。管理処理後、最終的な受け入れは、リンク１５６を介して呼コントローラ１０５から受信ハブ１２２へ転送される。呼は、特定の配置では、最初に受信ハブ１２２へ送信され、ここで、受信加入者／局１２１へ送信されるか、または、特性および認証決定が網で行われる間、ほんのちょっと接続から離れて保たれる。
【００１３】
呼の送信中、呼網コントローラ１０５は種々のプロセッサと対話して、呼処理の許可および特性を決定する。これらのプロセッサは、実施例として、リソース割当プロセッサ１１１と、認証プロセッサ１１３と、暗号化プロセッサ１１５と、特定デバイス制御プロセッサ１１７と、局特徴、認証及び特性の局／加入者データベース１１９とを含む。プロセッサ１１１によるリソース割り当ては、網交換の利用可能性および充足性と、送信ケーパビリティを決定する。プロセッサ１１３による認証は、今日までの日付け付き加入者支払いのような許可への加入者権利を決定する。プロセッサ１１５による暗号化は、加入者が要求できる選択的サービスである。プロセッサ１１７で使用される特定デバイスは、援助の形態を提供する補助デバイスとすることができる。加入者援助は、聴力強化または特別請求取決め等の特別な援助を提供する。これらの動作を決定する情報はデータベース１１９より供給される。これらの決定は、網コントローラ１０５に戻され、ハブ１０２から始められて受信ハブ１２２に送信される呼の最終的な運命を決定するために使用される。決定が否定的なものである場合は、呼は、たとえ始められた呼が一時的に接続されているとしても終了する。
【００１４】
図２に示される呼設定プロセスチャートは、発信局１０１で始められて発信ハブ１０２に送信される呼が、全認定および特性把握が決定されるまで、実質的に完了するが完全には完了しないプロセスを示す。これらのパラメータの受信により、呼接続の最後のステップが終了できる。最初の時間の出来事は、位置２１０の発信局から位置２１１の発信ハブ１０２へ送信される（矢印２０１）、呼の発信の要求である。位置２１１の発信ハブ１０２は、呼を位置２１４の受信ハブ１２２へ導いて接続するルーティング決定を行い、受信ハブ１２２は、位置２１５の受信局１２１をサービスするが、受信局２１５は、呼認証および特徴処理（矢印２０５，２０６および２０７）がシステムデータベースおよびプロセッサで決定されるまで、受信ハブ１２２への最終的な接続を差し控えている。
【００１５】
位置２１１のハブ１０２は、要求を矢印２０２を介して位置２１２のコントローラ１０５に送る。コントローラは、位置２１３のシステムデータベースおよびプロセッサに特定の要求（矢印２０５，２０６）を送り、どの特定の特徴および認証が発呼加入者に割り当てられているかを決定する。これらのプロセッサはデータベースと共に、これらの機能を決定し、この情報を呼プロセス応答として位置２１３のコントローラに戻す。コントローラはこの情報を用いて、位置２１４の受信ハブに信号を送り（矢印２０７）、受信局への呼を完了する。この呼は、矢印２０８で示されるように呼検査後に完了される。呼を検査する間の受信ハブへの同時接続により、呼は、標準的な呼処理より早く完了される。
【００１６】
他の変形では、図３に示されるように、呼完了は、呼検査が終了する前に達成される。初めに、位置３０１の発信局１０１からの発信要求が、位置３０２の発信ハブに（矢印３１１を介して）向けられる。発信ハブは、呼接続要求（矢印３１５）を、位置３０６の受信局１２１への直接接続の指令と共に、位置３０５の受信ハブ１２２に導く。また、発信ハブは、位置３０３のコントローラ１０５へ呼処理要求（矢印３１２）を行う。次いで、コントローラ１０５は、位置３０４の呼プロセッサおよびデータベースに呼処理要求を行う。これは、加入者特徴および認証のために呼要求を処理し、応答（矢印３１５）をコントローラに送る。コントローラは、受信ハブへ呼完了応答（３２１）で応答する。検査が適切であれば、呼はそれに応じて継続が許され、そうでなければ、呼は、たとえ進行中でも終了される。
【図面の簡単な説明】
【図１】本発明の原理の動作のために構成された通信網のブロック図である。
【図２】完了に近い呼接続を達成する際の図１の網の動作を示すフロープロセスチャートである。
【図３】呼接続の完了を達成する際の図１の網の動作を示すフロープロセスチャートである。
【図１】
0004243879.tif 000002
【図２】
0004243879.tif 000003
【図３】
0004243879.tif 000004